(57)【要約】【課題】発光素子モジュールが電源ユニットから受ける熱影響を抑制でき、しかも商用電源側に流入するノイズを低減させることができる照明器具を提供することである。【解決手段】電源ユニット１３は、断面が略コ字形の２個の光源配設部１１ａ、１１ｂに挟まれて配置され、複数の半導体発光素子１５を有した発光素子モジュール１４は、電源ユニット１３と反対側の側面の内側に配置される。これにより、電源ユニット１３と発光素子モジュール１４との距離が長くなり、発光素子モジュール１４は電源ユニット１３からの熱影響を受け難くなる。【選択図】図１
2010118279.tif 000002
【特許請求の範囲】
【請求項１】
断面が略コ字形の光源配設部を少なくとも２つ以上有する器具本体と；
前記光源配設部に挟まれて配置された電源ユニットと；
前記光源配設部の前記電源ユニットと反対側の側面の内側に配置され複数の半導体発光素子を有した発光素子モジュールと；
を備えたことを特徴とする照明器具。
【請求項２】
前記電源ユニットの一端側を入力側し、他端側を前記電源ユニットの出力側とし、前記電源ユニットの出力側と前記発光素子モジュールの入力側とを同じ方向としたことを特徴とする請求項１記載の照明器具。
【発明の詳細な説明】
【技術分野】
【０００１】
本発明は、光源として複数個の半導体発光素子を有した発光素子モジュールを用いた照明器具に関する。
【背景技術】
【０００２】
例えば、天井面に埋め込まれて配置される照明器具（例えば、特許文献１参照）では、器具本体の天井面側に光源が配置され、器具本体の反天井面側から電源が供給されるようになっている。光源が複数個の半導体発光素子を有した発光素子モジュールで構成されるものでは、商用の交流電源を直流電源に変換するための電源ユニットが設けられている。すなわち、アルミ押し出し材で器具本体を形成し、その器具本体の反天井面側に電源ユニットを配置し、器具本体の天井面側に発光素子モジュールを配置するようにしている。
【特許文献１】特開２００７−１５７６６０号公報
【発明の開示】
【発明が解決しようとする課題】
【０００３】
しかし、電源ユニットは発熱するので、その発熱が発光素子モジュールに影響を与えると、発光素子モジュールの寿命は短いものとなる。従来のものでは、アルミ押し出し材で器具本体を形成し、その器具本体の反天井面側に電源ユニットを配置し、器具本体の天井面側に発光素子モジュールを配置するようにしているので、電源ユニットの熱は器具本体を伝わって発光素子モジュールに伝熱される。このように、従来のものでは、発光素子モジュールは電源ユニットからの熱影響を受け易い構造であり、その改良が求められている。また、交流電源を直流電源に変換する際に発生するノイズが電源ユニットから商用電源側に流入することを低減させることも要請されている。
【０００４】
本発明の目的は、発光素子モジュールが電源ユニットから受ける熱影響を抑制でき、しかも商用電源側に流入するノイズを低減させることができる照明器具を提供することである。
【課題を解決するための手段】
【０００５】
請求項１の発明に係わる照明器具は、断面が略コ字形の光源配設部を少なくとも２つ以上有する器具本体と；前記光源配設部に挟まれて配置された電源ユニットと；前記光源配設部の前記電源ユニットと反対側の側面の内側に配置され複数の半導体発光素子を有した発光素子モジュールと；を備えたことを特徴とする。
【０００６】
本発明及び以下の発明において、用語の定義及び技術的意味は以下による。
【０００７】
光源配設部とは、光源が配設可能な空間部であり、一方が開口する断面略コ字形に形成される。なお、光源が配設可能であればその形状、大きさは特に限定されない。断面が略コ字形とは、コ字形だけでなく、コ字形の開口部の両側端に外側に延伸する鍔部を有するものも含む。「２個の光源配設部に挟まれて配置され」とは、一方の光源配設部のコ字形の開口部の側面と、他方の光源配設部のコ字形の開口部の側面との間に挟まれて配置されることをいう。半導体発光素子には、発光ダイオード（Light-emitting diode、LED）、有機発光ダイオード（Organic light-emitting diode、OLED）、発光ポリマー（Light Emitting Polymer、LEP）を含む。
【０００８】
請求項２の発明に係わる照明器具は、請求項１の発明において、前記電源ユニットの一端側を入力側し、他端側を前記電源ユニットの出力側とし、前記電源ユニットの出力側と前記発光素子モジュールの入力側とを同じ方向としたことを特徴とする。
【０００９】
電源ユニットの入力側とは外部電源（例えば、商用電源）から電源供給を受給する側をいい、電源ユニットの出力側とは発光素子モジュールに電源を供給する側をいう。また、発光素子モジュールの入力側とは電源ユニットから電源を受給する側をいう。
【発明の効果】
【００１０】
請求項１の発明によれば、電源ユニットは、断面が略コ字形の光源配設部間に配置し、複数の半導体発光素子を有した発光素子モジュールは器具本体の電源ユニットと反対側の側面の内側に配置するので、電源ユニットと発光素子モジュールとの距離が長くなり、電源ユニットからの熱影響を受け難くなる。
【００１１】
請求項２の発明によれば、電源ユニットの出力側と発光素子モジュールの入力側とを同じ方向とし、電源ユニットの入力側とは逆側とするので、電源ユニットから発光素子モジュールへの電力供給線と電源ユニットの外部電源からの電力受給線との間の距離が長くなり、効果的にノイズを低減できる。
【発明を実施するための最良の形態】
【００１２】
図１は本発明の実施の形態に係わる照明器具の構成図である。図１に示すように、器具本体１１は光源配設部１１ａ、１１ｂは断面が略コ字形に形成され、コ字形の開口部の両側端には、外側に延伸する鍔部１２を有している。器具本体１１は、例えば、アルミ押し出しで一体的に形成する。電源ユニット１３は、これら２個の光源配設部１１ａ、１１ｂに挟まれて配置されている。すなわち、電源ユニット１３は、一方の光源配設部１１ａのコ字形の開口部の側面と、他方の光源配設部１１ｂのコ字形の開口部の側面との間に挟まれ、これら２個の光源配設部１１ａ、１１ｂの鍔部１２に搭載されて配置されている。また、光源配設部１１ａ、１１ｂの電源ユニット１３と反対側の側面の内側には発光素子モジュール１４が配置されている。発光素子モジュール１４には、複数の半導体発光素子１５が取り付けられている。
【００１３】
このように、電源ユニット１３を２個の光源配設部１１ａ、１１ｂで挟んで配置することにより、２個の光源配設部１１ａ、１１ｂの離間距離を保つようにし、複数の半導体発光素子１５が電源ユニット１３からの熱影響を受け難くしている。
【００１４】
以上の説明では、光源配設部１１ａ、１１ｂは器具本体１１に一体的に形成した場合について説明したが、器具本体１１を分割して形成し、光源配設部１１ａ、１１ｂを別々に形成するようにしてもよい。
【００１５】
また、光源配設部１１ａ、１１ｂは鍔部１２を有した場合について説明したが、鍔部１２を有していない場合であってもよい。光源配設部１１ａ、１１ｂが鍔部１２を有していない場合は、電源ユニット１３を収納するための断面が略コ字状のユニット本体を形成する。そして、光源配設部１１ａ、１１ｂでそのユニット本体を挟むように配置し、取付部を用いて連結することになる。取付部としては、例えば嵌合部を設けて嵌合により連結したりボルトを用いて連結する。
【００１６】
図２は電源ユニット１３と発光素子モジュール１４との配線図である。電源ユニット１３は、外部電源（例えば商用電源）１６から電力を受給する入力端子１７を有し、その入力端子１７に電力受給線１８が接続されて外部電源１６から電力を受給する。
【００１７】
この外部電源１６から電力を受給する入力側の反対側（出力側）には、発光素子モジュール１４に電力を供給するための出力端子１９を有し、その出力端子１９に電力受給線２０が接続されて電源ユニット１３から発光素子モジュール１４に電力を供給する。一方、受光素子モジュール１４は電源ユニットの出力端子１９側（出力側）と同じ方向に電力を受給するための入力端子２１を有し、電源ユニット１３からの電力受給線２０が接続されて電源を受給することになる。
【００１８】
このように電源ユニット１３においては、入力端子１７と出力端子１９とを反対側に設け、電源ユニット１３の入力側とは逆側を電源ユニット１３の出力側とする。一方、発光素子モジュール１４においては、電源ユニット１３の出力端子１９側と同じ方向に発光素子モジュール１４の入力端子２１を配置する。これにより、電力需給線１８と電力供給線２０とが接続される側が異なるので、電力需給線１８と電力供給線２０とが混線することがなくなり、電力供給線２０に電力需給線１８からのノイズが混入することが大幅に低減できる。
【００１９】
本発明の実施の形態によれば、光源配設部１１ａ、１１ｂを電源ユニット１３の両側に配置し、かつ電源ユニット１３に遠い側の光源配設部１１ａ、１１ｂの側面へ半導体発光素子を配置するので、電源ユニット１３からの熱影響が受け難くなる。また、発光素子モジュール１４の入力端子２１と電源ユニット１３の出力端子１９を同じ方向とし、電源ユニット１３の入力端子１７とは逆側へ配置するので、効果的にノイズを低減することができる。特に複数の発光素子モジュール１４を有する場合は電源ユニット１３を間に挟み両側へ発光素子モジュール１４を配置することにより、より効果的にノイズを低減することができる。
【図面の簡単な説明】
【００２０】
【図１】本発明の実施の形態に係わる照明器具の構成図。
【図２】本発明の実施の形態における電源ユニットと発光素子モジュールとの配線図。
【符号の説明】
【００２１】
１１…器具本体、１１a、１１b…光源配設部、１２…鍔部、１３…電源ユニット、１４…発光素子モジュール、１５…半導体発光素子、１６…外部電源、１７…入力端子、１８…電力受給線、１９…出力端子、２０…電力受給線、２１…入力端子
【図１】
2010118279.tif 000003
【図２】
2010118279.tif 000004